(57)【特許請求の範囲】
【請求項１】
第１の開口部から徐々に幅広になって、前記第１の開口部より大きい第２の開口部に連通する連通孔を内部に有するフィッティング部と、
内側に電極を有し洗浄対象となるスロット型接栓の開口部に、その一部が嵌入される洗浄用布と、
この洗浄用布の途中部分を、前記第２の開口部から連通孔に押し込み、前記第１の開口部に押し出して、前記スロット型接栓の開口部に嵌入し、往復運動により前記スロット接栓の前記電極を洗浄するスライド板体とからなることを特徴とするスロット型接栓洗浄器。
【請求項２】
前記スライド板体と前記フィッティング部とがバネにより連結されていることを特徴とする請求項１記載のスロット型接栓洗浄器。
【請求項３】
前記洗浄用布はロール状であり、巻取り具を設けてこの洗浄用布の洗浄部分を前記巻取り具により移動させることを特徴とする請求項１または２記載のスロット型接栓洗浄器。
【発明の詳細な説明】
【０００１】
【発明の属する技術分野】
本発明は、電子機器に使用されるスロット型接栓の電極部分を清浄にする洗浄器具に関する。
【０００２】
【従来の技術】
各種の電子機器において、電気信号や電力の伝送部分に種々の接栓が設けられている。これらの接栓では、長期の使用により、接栓導体部分の表面が酸化され被膜で覆われたり汚染されて、接触不良が発生する場合がある。例えば、図４に模式的に示すように、制御装置のユニット接栓であるスロット型接栓４１の対向する接栓部電極４４に、電子回路が搭載された回路基板４２の接栓部電極４３が嵌入されて、信号が入出力されるが、長期に使用されるとそれぞれの接栓部電極４３、４４に酸化被膜や汚染が生じて、接触不良のためシステム不具合になることがある。したがって、接栓部分に非酸化処理が行われている場合を除き、従来の一般の電子機器の各種の接栓では、設置された環境や設置からの経過年月にもよるが、点検・保守の際にこれ等の接栓部の電極の洗浄を行う必要がある。
【０００３】
しかし、これ等の洗浄作業は、機器の設置された現場で行うので、回路基板側接栓電極４３は回路基板を機器本体から抜き取って容易に洗浄できるが、ユニット側の接栓部電極４４は、スロット型接栓４１の狭い間隙のスロット内部に対向して配置されており、さらに、このユニット側のスロット型接栓４１が機器の奥に位置する場合や、周囲に他の機器・部品が接近して配置されている場合があって、洗浄作業が困難であることが多い。特に、回路基板に使用されるスロット型接栓４１では、最近、ＩＣ化や多機能化により部品の小型化が進められて、回路基板４２が狭い場所に密に配置されるなどのため、接栓部の電極部分に洗浄用布を接触させることが困難であり、スロット型接栓を十分に洗浄できないという問題があった。
【０００４】
【発明が解決しようとする課題】
この発明は上記のような従来の問題点に鑑みてなされたもので、スロット型接栓の電極部分に洗浄用布を接触させて、電極の洗浄作業が容易に行えるスロット型接栓洗浄器を提供することを目的とする。
【０００５】
【課題を解決ためのする手段】
上記の目的を達成するために、本発明のスロット型接栓洗浄器は、第１の開口部から徐々に幅広になって、前記第１の開口部より大きい第２の開口部に連通する連通孔を内部に有するフィッティング部と、内側に電極を有し洗浄対象となるスロット型接栓の開口部に、その一部が嵌入される洗浄用布と、この洗浄用布の途中部分を、前記第２の開口部から連通孔に押し込み、前記第１の開口部に押し出して、前記スロット型接栓の開口部に嵌入し、往復運動により前記スロット接栓の前記電極を洗浄するスライド板体とからなることを特徴とするものを提供する。
【０００６】
また、前記スライド板体と前記フィッティング部とがバネにより連結されていることを特徴とするものを提供する。
【０００７】
また、前記洗浄用布はロール状であり、巻取り具を設けてこの洗浄用布の洗浄部分を前記巻取り具により移動させることを特徴とするものを提供する。
【００１０】
【発明の実施の形態】
以下、本発明のスロット型接栓洗浄器の実施形態を図面により詳細に説明する。
【００１１】
図１（ａ）は、本発明の第１の実施形態の斜視図である。
【００１２】
本発明の第１の実施形態のスロット型接栓洗浄器は、図１（ａ）に示すように、箱状のフィッティング部１２とこのフィッティング部１２の内部に収納されたロール状の洗浄用布１１とこの洗浄用布１１を押し出すスライド板体１３とから成る。
【００１３】
フィッティング部１２は、同図（ｃ）に示すように箱状をしており、洗浄の対象となるスロット型接栓１９と対面するフィッティング部１２の正面に、前記スロット型接栓１９のフレームに適合する第１の開口部１５と、この正面に対向する背面部には前記第１の開口部１５より大きい第２の開口部１８とを設け、さらに、前記第１の開口部１５から徐々に幅広となってこの第２の開口部１８に連結する連通孔を内部に設ける。
【００１４】
また、この箱状のフィッティング部１２の内部に、同図（ｂ）に模式図で示すベンコットンなどの不織布または綿布による洗浄用布１１を、両ロール部１１ａ、１１ｂの中間部の一重部分１１ｃが第１の開口部１５に対面するように、フィッティング部１２の上部及び下部にロール部分１１ａ、１１ｂの軸を固定する軸受けを設けて収納する。また、フィッティング部１２の上部に出ている前記ロール部の軸端には、内部の洗浄用布１１の巻取り、移動などの操作を行うツマミ１６ａ、１６ｂを取り付ける。
【００１５】
スライド板体１３は、例えば、スロット型接栓に嵌入して使用される回路基板４２と同様のガラスエポキシ、またはベークライト等の材質が選択される薄い板状のもので、その先端が、洗浄対象のスロット型接栓１９のスロットに嵌合できる回路基板４２の接栓部電極４３と等しい外形形状で、その厚さは回路基板４２の厚さより１ｍｍ程度薄く形成した嵌入部１３ａであって、もう一方の端部には、このスライド板体１３を操作する押入ハンドル部１４が取り付けられている。
【００１６】
さらに、図１（ａ）に示すように、スライド板体１３は、フィッティング部１２の第２の開口部１８から、先端の嵌入部１３ａが洗浄用布１１に後方から接する位置に、連通孔に案内されて収納される。
【００１７】
なお、スライド板体１３を安定に収納することと、後述するスライド板体１３の引抜きを補助するために、押入ハンドル部１４とフィッティング部１２の第２の開口部１８を設けた背面との間に取り付けたバネ１７で保持しても良い。
【００１８】
次に、本発明のこの実施形態を使用する接栓の洗浄について、図を用いて説明する。
【００１９】
図２は、本発明のスロット型接栓洗浄器による洗浄作業の概念を示す図である。
【００２０】
先ず洗浄に先立ち、図２（ａ）に示すようにバネ１７が伸びて、スライド板体１３の先端の嵌入部１３ａがフィッティング部１２の第１の開口部１５から突出していない状態にして、図１のツマミ１６を操作して、洗浄用布１１の未使用の部分が嵌入部１３ａに接するようにする。次に、アルコール等の洗浄用液を吸引したスポイト等を、フィッティング部１２の第１の開口部１５から内部に差し入れて、内部にあるこの洗浄用布１１に注液する。
【００２１】
次に、フィッティング部１２の開口部１５を洗浄対象のスロット型接栓１９のフレームに適合させるか、若しくは押し当てる。さらに、押入ハンドル部１４をフィッティング部１２の方に押し、洗浄用布１１の未使用部分と共に嵌入部１３ａを洗浄対象のスロット型接栓１９の接栓スロットに嵌入させる。嵌入したら、押入ハンドル部１４を矢印２０に示すように数回、前後に往復運動させて、洗浄用布１１とスロット接栓１９の電極とを摺動させて電極の洗浄を行う。
【００２２】
次いで、押入ハンドル部１４を引っ張り、スロット接栓１９の接栓スロットから嵌入部１３ａを引き抜く。嵌入部１３ａと共に嵌入された洗浄用布１１の汚れ具合を観察して、汚れが著しい場合は、前述と同様にツマミ１６を操作して、清浄な部分が嵌入部１３ａの位置になるようにする。
【００２３】
押入ハンドル部１４を操作して、洗浄用布１１と共に嵌入部１３ａの嵌入と引き抜きを数回繰り返して、洗浄対象のスロット型接栓１９の洗浄作業が完了する。
【００２４】
なお、洗浄用液をスポイト等で第１の開口部１５から洗浄用布に注液する方法を示したが、第１の開口部１５の両側部に凹状の空所を設けて、その中にアルコール等の洗浄用液を充分含浸させたスポンジ体を収納して置く。このようにしておくと、洗浄作業で前述の押入ハンドル部１４を操作して嵌入部１３ａと洗浄用布１１が第１の開口部１５を通過するときに、このスポンジ体に含浸している洗浄用液が洗浄用布１１にも浸透して、嵌入毎のスポイト等による注液を行わなくても、洗浄対象のスロット型接栓１９の接栓スロットに洗浄用液が含浸した洗浄用布１１を嵌入させることができる。
【００２５】
上述のように本発明の第１の実施形態によれば、電子機器の設置された現場において、従来では作業が困難であった、機器内部の奥深く狭隘な部分に、高密度に配置されたスロット型接栓であっても、フィッティング部１２の第１の開口部１５を洗浄対象のスロット型接栓のフレームに適合、若しくは押し当て、フィッティング部１２の連通孔に案内されて、当該の接栓からは離れた作業者の手許にある押入ハンドル部１４でスライド板体１３を操作するので、的確に接栓スロットの内部に洗浄用具の洗浄用布１１を嵌入できる。しかも、洗浄用布１１が嵌入部１３ａと共に嵌入されるので、スロット接栓の電極の全面に洗浄用布１１が接触して洗浄効果も高かまる。
【００２６】
図３は、本発明の第２の実施形態を示す斜視図及び実施形態による洗浄の模式図である。
【００２７】
この実施形態は、フィッティング部を用いないで、図３（ａ）及び同図（ｂ）に示すように洗浄用布３１のロール部軸の軸受け３７ａ〜３７ｂを押入ハンドル部３４に設け、スライド板体３３と一体に構成したものである。また、スライド板体３３の先端の嵌入部３２の幅は、洗浄対象の接栓部電極の列の幅より短い、例えばその接栓部電極の１／２〜１／３くらいの幅に形成したものである。
【００２８】
この実施形態では、嵌入部３２の幅以上のスロット型接栓１９の洗浄に適用されて、押入ハンドル部３４を把持して、洗浄対象のスロット接栓の接栓スロットの端所に嵌入部３２を予め洗浄用液を含浸させた前記洗浄用布３１と共に嵌入する。嵌入が完了したら、押入ハンドル部３４を矢印３０に示すように数回、前後に往復運動させて、洗浄用布３１とスロット接栓の電極とを摺動させて電極を洗浄する。その後、押入ハンドル部４３を引き、洗浄用布３１と嵌入部３２と伴に引き抜く。引抜いた洗浄用布３１の汚れの有無を確認し、汚れが有ればツマミ３６を操作して清浄な部分になるように移動した後、先に洗浄した位置から少しずらした図３（ｂ）の矢印３５に示す接栓スロットの下方の接栓部電極に、嵌入部３２と予め洗浄用液を含浸させた洗浄用布３１を再び嵌入する。このように嵌入位置を少しずつずらして、接栓スロットの他端まで嵌入と引抜きを繰り返し、対象接栓の洗浄を完了する。
【００２９】
この実施形態では、フィッティング部がないので、狭隘な場所にある接栓への洗浄作業が比較的容易であり、また、嵌入部３２の幅以上の接栓に全て対応できて、洗浄器具１種で種々の長さの接栓に共通使用できて、汎用性が高いスロット型接栓洗浄器を提供できる。
【００３０】
【発明の効果】
以上、説明したように本発明のスロット型接栓洗浄器よれば、スロット型接栓の電極部分に洗浄用布を接触させて、接栓の洗浄を容易にかつ十分に行える。
【図面の簡単な説明】
【図１】本発明の第１の実施形態の斜視図と本実施形態に使用される洗浄用布とフィッティング部を示す図。
【図２】本発明のスロット型接栓洗浄器の第１の実施形態による洗浄作業の概念を示す図。
【図３】本発明の第２の実施形態とこの実施形態による洗浄作業の概念を示す図。
【図４】本発明のスロット型接栓洗浄器による洗浄の対象となる接栓の模式図。
【符号の説明】
１１、３１・・・洗浄用布、
１１ａ、１１ｂ・・・洗浄用布のロール部、
１１ｃ・・・洗浄用布の一重部分、
１２・・・フィッティング部、
１３、３３・・・スライド板体、
１３ａ、３２・・・スライド板体の嵌入部、
１４、３４・・・押入ハンドル部、
１５・・・フィッティング部の第１の開口部、
１６、３６・・・ツマミ、
１７・・・バネ、
１８・・・フィッティング部の第２の開口部、
１９、４１・・・洗浄対象のスロット型接栓、
２０、３０・・・押入ハンドル部の往復運動方向、
３５・・・洗浄用布とスライド板体の移動方向、
３７・・・ロール部軸受け、
４２・・・回路基板、
４３・・・回路基板側接栓部電極、
４４・・・ユニット側接栓部電極。
【図１】
0003593337.tif 000002
【図２】
0003593337.tif 000003
【図３】
0003593337.tif 000004
【図４】
0003593337.tif 000005